(57)【要約】【課題】足裏のツボと一致する位置に磁石を埋め込んだ中敷にサイズ調整用の切り取り線を設けた場合において、所望の切り取り線で切断してもツボと磁石の位置ズレが最小限に抑制できるようにすることである。【解決手段】中敷１は一定の足のサイズ範囲ごとに区分された複数のサイズグループの一つに属するとともに当該サイズグループの中での最大のサイズに一致する大きさに形成され、型紙２は前記中敷１と同一形状、同一サイズに形成され、型紙２の爪先側周縁に沿って親指の付根付近の周縁から小指の付根付近の周縁に至る範囲に爪先側切り取り線７ａ、７ｂが形成され、同じく踵側周縁に沿って踵の両外側付近の周縁間に渡る範囲に踵側切り取り線８ａ、８ｂそれぞれ設け、前記切り取り線に所要のサイズ表示１０が施された構成とした。【選択図】図１
2006034339.tif 000002
【特許請求の範囲】
【請求項１】
足裏のツボと一致する位置に中敷の表面より突出しないように磁石を埋め込んでなる靴の中敷とサイズ調整用の型紙との組み合わせからなる靴の中敷セットにおいて、前記中敷は一定の足のサイズ範囲ごとに区分された複数のサイズグループの一つに属するとともに当該サイズグループの中での最大のサイズに一致する大きさに形成され、前記型紙は前記中敷と同一形状、同一サイズに形成され、前記型紙の爪先側周縁に沿って親指の付根付近の周縁から小指の付根付近の周縁に至る範囲に爪先側切り取り線が形成され、同じく前記型紙の踵側周縁に沿って踵の両外側付近の周縁間に渡る範囲に踵側切り取り線をそれぞれ設け、前記各切り取り線を前記サイズグループの最大サイズを除いたサイズごとに一定のサイズ間隔でそれぞれ複数本形成し、各切り取り線に所要のサイズ表示を施したことを特徴とする靴の中敷セット。
【請求項２】
前記のサイズ表示が最大サイズの次に小さい１番サイズ表示とそれより小さい２番以降のサイズ表示からなり、前記１番サイズ表示は爪先側切り取り線又は踵側切り取り線のいずれか一方の最外側のものに施され、それ以降の切り取り線には前記２番以降のサイズ表示が一つ前のサイズ表示と反対側となるよう交互に位置を替えて施されたことを特徴とする請求項１に記載の靴の中敷セット。
【請求項３】
前記の各切り取り線の間隔が前記サイズ間隔の半分に設定され、前記のサイズ表示が最大サイズの次に小さい１番サイズ表示とそれより小さい２番以降のサイズ表示からなり、前記１番サイズ表示は爪先側切り取り線及び踵側切り取り線の最外側のものに施され、それ以降の切り取り線には前記２番以降のサイズ表示は爪先側切り取り線と踵側切り取り線の両方に施されたことを特徴とする請求項１に記載の靴の中敷セット。
【請求項４】
足裏のツボと一致する位置に中敷の表面より突出しないように磁石を埋め込んでなる靴の中敷において、前記中敷は一定の靴のサイズ範囲ごとに区分された複数のサイズグループの一つに属するとともに当該サイズグループの中での最大サイズに形成され、前記中敷の爪先側周縁に沿って親指の付根付近の周縁から小指の付根付近の周縁に至る範囲に爪先側切り取り線が形成され、同じく前記中敷の踵側周縁に沿って踵の両外側付近の周縁間に渡る範囲に踵側切り取り線をそれぞれ設け、前記各切り取り線が前記サイズグループの最大サイズを除いたサイズごとに一定のサイズ間隔でそれぞれ複数本施され、各切り取り線に所要のサイズ表示が施されたことを特徴とする靴の中敷。
【発明の詳細な説明】
【技術分野】
【０００１】
この発明は中敷とそのサイズ調整用の型紙を組み合わせた靴の中敷セットに関するものである。
【背景技術】
【０００２】
従来、靴の中敷に磁石を埋め込み、その中敷を靴底に敷いて履くことにより、足裏のツボに磁力を作用させ、足裏の血行を促進し身体の健康増進を図ることが知られている（特許文献１）。
【０００３】
また、図８に示したように、中敷１１の周縁に沿って所要のサイズ表示１７を施した切り取り線１２〜１６を土踏まず２０の部分を除く全周に渡り所定の間隔で設け、その切り取り線１２〜１６に沿って切断することで、所望サイズの中敷が得られるようにしたものも知られている（特許文献２）。
【特許文献１】特開平１１−２５３２０５号公報（段落００４２〜００４５）
【特許文献２】実用新案登録第３０７３０８６号公報（段落０００６〜００１０）
【発明の開示】
【発明が解決しようとする課題】
【０００４】
前掲の特許文献１に開示されたように、特定の足サイズに合致するサイズに形成した中敷は、足裏のツボの位置と中敷に埋めた磁石の位置とのずれが少なく、磁石の効果を的確に発揮させることができる利点があるが、中敷のサイズが足サイズの数だけ存在するため製品の種類が多くなり、生産コストが高くなるだけでなく、在庫管理や流通管理等にも手間がかかる問題がある。この点で特許文献２に示したようなサイズ表示を施した多数の切り取り線を形成したものは、製作すべき中敷の種類が少ないので低コストであり、在庫管理や流通管理も容易にできる利点がある。
【０００５】
前記の特許文献１に示された磁石入り中敷に特許文献２に示された多数の切り取り線を形成した中敷を製作することが考えられる。図９はこのようにして得られた中敷１１を示す。この中敷１１には図８の場合と同様に、土踏まず２０の部分を除いた周縁全体に所定のサイズ間隔をおいて切り取り線１２〜１６が形成され、それぞれにサイズ表示１７が施される。
【０００６】
この場合、最小サイズの足裏のツボ１８に一致する位置に磁石１９を埋めたとすると、それより大きいサイズ、例えば最大サイズのツボ１８’の位置から磁石１９の位置が大きくずれることになる。平均的サイズに合わせた位置に磁石１９を埋めることも一つの手段ではあるが、平均的サイズでない場合は殆ど磁石１９の効果は期待できない。また、例えば、Ｓ、Ｍ、Ｌというようにサイズをグループ分けし、そのグループ内で前記のような切り取り線を設けることにすると、サイズの種類の増加を防ぎつつツボと磁石との位置ずれをできるだけ少なくできることが一応考えられる。
【０００７】
ここで、図１０に基づいて足２０の足裏の形状とツボ１８の位置に関する本発明者の知見を説明する。足裏はその中央部分の接地面の爪先側に親指２２から小指２３に至る足指２４が存在し、踵側に後方に突き出した骨の存在による突出部２５が存在する。前記の足指２４の部分及び突出部２５を除いた足裏中央部分の接地面を便宜上「足掌２１」と称する。その足掌２１の長さをＬ１、足指２４の長さをＬ２、踵側の突出部２５の突き出し長さをＬ３で示す。中敷１１の全長Ｌはこれらの総和である。前記中敷１１の最大幅Ｗは親指２２の付け根付近と小指２３の付け根付近の幅である。足裏にはツボ１８と呼ばれる部分が多数存在することが知られているが、その位置を丸印をもって概念的に図示する。
【０００８】
以上のような足裏において、本発明者の知見によれば、全体のサイズＬが極端に変わらない限り、平均的に足掌２１の長さＬ１と幅Ｗはほぼ一定であり、全体のサイズＬは専ら足指２４の長さＬ２と突出部２５の長さＬ３の変化に依存する性質がある。そこで、一点鎖線で示したように、長さＬの中敷１１を作成し、その中敷１１に足裏のツボ１８と一致する位置に磁石１９を埋め込んだとすると、足のサイズＬは前記のように足指２４の長さＬ２と突出部２５の長さＬ３において変わるだけであり（靴もそのような形状に形成されるので）、中敷１１のサイズを長さＬ２、Ｌ３の部分で調整すれば、中敷１１に対する足掌２１の位置は変わらず、従ってツボ１８に対する磁石１９の位置ずれも生じないことになる。
【０００９】
そこで、この発明は、中敷のサイズの違いによる製品の種類の増大を抑制しつつ、切り取り線に従ってサイズ調整した場合でも、ツボと磁石の位置ずれが生じないようにした中敷セット及び中敷を提供することを課題とする。
【課題を解決するための手段】
【００１０】
前記の課題と解決するために、この発明は、足裏のツボと一致する位置に中敷の表面より突出しないように磁石を埋め込んでなる靴の中敷とサイズ調整用の型紙との組み合わせからなる靴の中敷セットにおいて、前記中敷は一定の足のサイズ範囲ごとに区分された複数のサイズグループの一つに属するとともに当該サイズグループの中での最大のサイズに一致する大きさに形成され、前記型紙は前記中敷と同一形状、同一サイズに形成され、前記型紙の爪先側周縁に沿って親指の付根付近の周縁から小指の付根付近の周縁に至る範囲に爪先側切り取り線が形成され、同じく前記型紙の踵側周縁に沿って踵の両外側付近の周縁間に渡る範囲に踵側切り取り線をそれぞれ設け、前記各切り取り線を前記サイズグループの最大サイズを除いたサイズごとに一定のサイズ間隔でそれぞれ複数本施され、各切り取り線に所要のサイズ表示が施された構成とした。
【００１１】
上記の構成によると、中敷のサイズ調整に際し型紙を中敷に重ねると両者の形状はぴったり一致する。この状態は、前記図１０のように、全長サイズＬの中敷１１にそのサイズに応じた足２０を重ねた状態と同じ状態である。中敷１１にはその足サイズにおけるツボ１８の位置に磁石１９が埋め込まれている。その中敷１１のサイズはグループ分けされていることにより、最大サイズと最小サイズの差は極端に大きいものではないので、爪先側及び踵側に設けられた切り取り線に合わせて切り取ってサイズ調整を行っても足掌２１の位置・形状に大きな位置ずれが生じることはなく、その結果ツボと磁石の位置ずれも最小限のものとなる。
【００１２】
前記のサイズ表示の表示方法として次のようなものがある。即ち、その一つの方法は、最大サイズ（これは中敷の調整前のサイズである。）の次に小さい１番サイズ表示とそれより小さい２番以降のサイズ表示からなり、前記１番サイズ表示は爪先側切り取り線又は踵側切り取り線のいずれか一方の最外側のものに施され、それ以降の切り取り線には前記２番以降のサイズ表示が一つ前のサイズ表示と反対側となるよう交互に位置を替えて施す。このようなサイズ表示によると、同一のサイズ表示は爪先側、踵側合わせて１箇所しか存在しないので、切り取るべき線の位置が分かり易い。
【００１３】
また、サイズ表示の他の方法は、前記の各切り取り線の間隔が前記サイズ間隔の半分に設定される場合に採用されるものであり、最大サイズの次に小さい１番サイズ表示とそれより小さい２番以降のサイズ表示からなる点は前記と同様であるが、１番サイズ表示は爪先側切り取り線及び踵側切り取り線の最外側のものに施され、それ以降の切り取り線には前記２番以降のサイズ表示は爪先側切り取り線と踵側切り取り線の両方に施す。このサイズ表示によると、同じサイズ表示が爪先側と踵側のそれぞれに存在するので複雑な表示となるものの、爪先側と踵側をサイズ間隔の半分の大きさで細かく調整できるので、足裏形状に合った緻密なサイズ調整ができる。
【００１４】
前記サイズ表示は、所望のサイズの中敷を得るための切り取るべき線を示す表示であり、一般的に足サイズをｃｍ単位で表示したものである。符号や記号によって表示し、これらと足サイズとの対応表を用いるようにしてもよい。切り取り線を色分けし、その色と足サイズとの対応表を用いるようにしてもよい。
【００１５】
以上の中敷セットは中敷と型紙との組み合わせからなり、両者を重ねて切り取り線で切り取ってサイズ調整をするようにしているが、その型紙に施された各切り取り線とサイズ表示をプリント等により中敷に施すようにしてもよい。このようにすると、型紙が不要となり、これを重ねてサイズ調整する必要がなく、中敷に直接プリント等により施された切り取り線に従ってサイズ調整を行うことができる。
【発明の効果】
【００１６】
以上のようにこの発明の中敷セットは、複数に分けられたサイズグループの中から、所望のサイズを含んだサイズグループに属する中敷セットを選択し、サイズ調整用の型紙を中敷の上に重ね合わせ、サイズ表示に従って爪先側切り取り線と踵側切り取り線を切り取ることにより、所望のサイズの中敷を得ることができる。しかも中敷に埋め込まれた磁石の位置は、前記のサイズグループ内では足裏のツボの位置からずれることはほとんどないので、磁石の作用を的確にツボに伝えることができる。なお、型紙に施したと同様の切り取り線とサイズ表示を中敷に施すことにより、前記と同様の効果を奏することができる。
【発明を実施するための最良の形態】
【００１７】
以下、この発明の実施形態を添付図面に基づいて説明する。
【００１８】
図１（ａ）（ｂ）に示すように、実施形態１に係る靴の中敷セットは、左右一対の中敷１、１と、その中敷１、１と同一形状、同一サイズの左右一対のサイズ調整用の型紙２、２からなる。
【００１９】
中敷１は、図２（ａ）（ｂ）に示したように、クッション部材４の所定位置に予め足裏のツボの位置に合わせて磁石３の直径より若干小径の穴３’を開け、その穴３’を弾性的に拡径させながら磁石３を嵌入することにより磁石３が穴３’内でガタつかないようにしている。上記のクッション部材４にその上下両面から足裏に接触するカバー部材５と靴内底に接触する裏当て部材６が熱接着等により積層一体化され、これによって磁石３が中敷１の内部に埋め込まれる。
【００２０】
前記中敷１のサイズは、足のサイズを３つのサイズグループＳ、Ｍ、Ｌに分け、各サイズグループは表１に示すようなサイズ範囲を含むものとしている。これらのサイズ範囲においてサイズ間隔は０．５ｃｍに設定している。サイズ範囲を前記のようにＳ、Ｍ、Ｌの３グループに分けるのは一例であり、表２に示すようにＦ（女性用）、Ｍ（男性用）の２グループに分けてもよい。
【００２１】
【表１】
2006034339.tif 000003
【００２２】
【表２】
2006034339.tif 000004
【００２３】
一般的には、先に図１０に基づいて説明したように、１つのグループのサイズ範囲が、その内の最大サイズを持った中敷に当該サイズの足を載せた場合の足掌２１の位置を基準として、当該サイズ範囲内の大きさの足であればその足掌２１の位置が実質的に変わらない範囲となるように設定される。
【００２４】
なお、磁石３の位置は、サイズグループのうちの最大サイズの足サイズのツボ１８に合わせて定められる。
【００２５】
前記型紙２は、図３に示したように、その爪先部分に爪先側切り取り線７ａ、７ｂが形成され、また踵部分に踵側切り取り線８ａ、８ｂがそれぞれ２本づつ形成される。
【００２６】
前記爪先側切り取り線７ａ、７ｂは、型紙２の親指の付け根付近の周縁上の点Ａから小指の付け根付近の周縁上の点Ｂに渡り爪先側周縁に沿って円弧状に形成される。また、踵側切り取り線８ａ、８ｂは踵部分の両側周縁上の２点Ｃ、Ｄ間に渡り踵部分の周縁に沿って円弧状に形成される。各切り取り線の両端部はこれらの点ＡからＤにおいて完全に一致する場合もあれば、若干ずれる場合もある。また、前記の爪先側切り取り線７ａ、７ｂ及び踵側切り取り線８ａ、８ｂはいずれも円弧の頂点部分における間隔が最も広く形成されるが、その間隔が前記のサイズ間隔（０．５ｃｍ）となるように形成され、両端部に至るに従いその間隔は小さくなる。
【００２７】
また、爪先側切り取り線７ａ、７ｂと踵側切り取り線８ａ、８ｂの外側にはそれぞれサイズ表示１０が施される。サイズ表示１０は、図３（ａ）及び図４に示したように、＜１＞から＜４＞の表示でなり、Ｓ、Ｍ、Ｌの各サイズグループ内で最大サイズを１番サイズ表示として＜１＞の表示を施す。それ以降の小さいサイズは前記のサイズ間隔（０．５ｃｍ）をおいて２番サイズ表示＜２＞、以下順に３番サイズ表示＜３＞、４番サイズ表示＜４＞が施される。前記１番サイズ表示＜１＞は爪先側切り取り線７ａに施され、以下２番サイズ表示＜２＞は踵側切り取り線８ａというように、２番以降のサイズ表示１０は一つ前のサイズ表示と反対側の切り取り線に交互に位置を替えて施される。
【００２８】
実施形態１の中敷セットは以上のようなものであり、使用者の希望の足サイズが特定のサイズグループの内の最大サイズの場合（例えば、Ｍグループでは２６ｃｍの場合）は、何ら調整を行わずそのまま中敷１を使用することができる。この場合はそのサイズの足のツボ１８の位置（図２参照）と磁石３の位置ずれは生じない。
【００２９】
次の小さいサイズ以降、即ち、１番表示＜１＞（２５．５ｃｍ）以降の場合は、図５に示すように型紙２を中敷１の上に重ね合わせ、型紙２上の該当する切り取り線７ａ、７ｂ、８ａ、８ｂにおいて、型紙２とともに中敷１を切断する。図６（ａ）は１番表示＜１＞で切断した２５．５ｃｍの場合、同（ｂ）は１番表示＜１＞と２番表示＜２＞で切断した２５．０ｃｍの場合を示す。
【００３０】
このように、切り取り線７ａ、７ｂ、８ａ、８ｂで切り取ることによりサイズ調整を行った場合、中敷１に対する足掌２１（図１０参照）の位置は変わらないので、磁石３の位置がツボ１８の位置からずれることがない。
【００３１】
次に、実施形態２について説明する。この場合は型紙２の切り取り線の表示の方法において相違している。即ち、図７（ａ）（ｂ）に示したように、この場合の型紙２に施される切り取り線は、サイズ間隔を前記の半分（０．２５ｃｍ）に設定し、かつ、爪先側切り取り線７ａ、７ｂ、７ｃ、７ｄと踵側切り取り線８ａ、８ｂ、８ｃ、８ｄは各４本形成するとともに、１番サイズ表示＜１＞は爪先側切り取り線７ａ及び踵側切り取り線８ａに施され、それ以降の切り取り線には２番以降のサイズ表示＜２＞〜＜４＞が爪先側切り取り線７ｂ、７ｃ、７ｄと踵側切り取り線８ｂ、８ｃ、８ｄの両方に施される。
【００３２】
この場合は、サイズ間隔が小さくなるので、細かいサイズ調整をすることができ、磁石３とツボ１８の位置ずれも小さくなる。
【００３３】
以上の実施形態１及び２は、いずれも中敷１と型紙２の組み合わせからなる中敷セットであるが、型紙２に切り取り線を形成する代わりに、これを中敷１の表面に前記実施形態１、２の型紙２の場合と同じ切り取り線とサイズ表示をプリントすることにより、型紙２を省略した中敷１単独でも同様の効果を発揮することができる。
【図面の簡単な説明】
【００３４】
【図１】（ａ）実施形態１の中敷セットうちの中敷の平面図、（ｂ）同上の型紙の平面図
【図２】（ａ）実施形態１の中敷の平面図、（ｂ）（ａ）図の拡大断面図
【図３】（ａ）実施形態１の型紙の平面図、（ｂ）（ａ）図の拡大断面図
【図４】実施形態１の型紙のサイズ表示と切り取り線の関係図
【図５】実施形態１の中敷セットのサイズ調整時の断面図
【図６】（ａ）実施形態１の中敷セットのサイズ調整時の平面図、（ｂ）実施形態１の中敷セットの他のサイズ調整時の平面図
【図７】（ａ）実施形態２の型紙の平面図、（ｂ）実施形態２の型紙のサイズ表示と切り取り線の関係図
【図８】従来例の平面図
【図９】従来例から推考できる中敷の平面図
【図１０】足と足裏の説明図
【符号の説明】
【００３５】
１  中敷
２  型紙
３  磁石
４  クッション部材
５  カバー部材
６  裏当て部材
７ａ、７ｂ、７ｃ、７ｄ  爪先側切り取り線
８ａ、８ｂ、８ｃ、８ｄ  踵側切り取り線
１０  サイズ表示
【図１】
2006034339.tif 000005
【図２】
2006034339.tif 000006
【図３】
2006034339.tif 000007
【図４】
2006034339.tif 000008
【図５】
2006034339.tif 000009
【図６】
2006034339.tif 000010
【図７】
2006034339.tif 000011
【図８】
2006034339.tif 000012
【図９】
2006034339.tif 000013
【図１０】
2006034339.tif 000014